(57)【要約】【課題】  浴室ユニットにおいて、シリコンやパッキン等のコーキング剤を使用せず、清掃作業が容易でかつ簡易な構造で床や壁下への漏水が防止できる浴室ユニットの床パン構造を提供する。【解決手段】浴槽パンに洗い場パンを付設した浴室ユニットの床パンにおいて、洗い場パンと浴槽パンとの外端には、壁パネルあるいはドアなどを支持するための支持突条を形成した落とし込み溝を周設し、その落とし込み溝の適所に、上記浴槽パンに連通する排水孔部を設けている。【選択図】  図１
2005273372.tif 000002
【特許請求の範囲】
【請求項１】
浴槽パンに洗い場パンを付設した浴室ユニットの床パンにおいて、
洗い場パンと浴槽パンとの周端には、支持突条を形成した落とし込み溝を周設し、その落とし込み溝の適所に、上記浴槽パンに連通する排水孔部を設けていることを特徴とする、浴室ユニットの床パン構造。
【請求項２】
請求項１において、
上記洗い場パンに設けた落とし込み溝には、外方に突出する外縁鍔を形成している、浴室ユニットの床パン構造。
【請求項３】
請求項１、２のいずれかにおいて、
上記落とし込み溝には、壁パネル、ドアが嵌め込まれたときに、それらの下端面を、下方より支持する支持凹所を形成している、浴室ユニットの床パン構造。
【請求項４】
請求項１〜３のいずれかにおいて、
上記落とし込み溝に、壁パネル、ドアが嵌め込まれたときに、これらの下端と、上記落とし込み溝の浴室内との間には、乾式シール材を取り付けて水漏れを防止する構造にしている、浴室ユニットの床パン構造。
【発明の詳細な説明】
【技術分野】
【０００１】
本発明は、浴槽パンに洗い場パンを付設した浴室ユニットの床パン構造の改良に関する。
【背景技術】
【０００２】
図７、図８は、従来技術の浴室ユニットの床パン構造を示している。
図７は、床パン１００の全体を示しており、浴槽（不図示）を収容する浴槽パン１０１には、三方に突壁１０２ａを形成した洗い場パン１０２が付設されており、洗い場パン１０２の側縁部分には、排水口１０３に通じる排水溝１１３を設けている。
【０００３】
図８は、洗い場パン１０１にドアを施工した状態を示している。
このような構造の床パンに、出入り口を設け、ドアを取り付ける場合には、洗い場パン１０２の突壁１０２ａをカットして、ドア１１０の下端を受けるドア受け１１２を取付け、ドア受け１１２の延出部１１２ａを、浴室の外方に設けている床材１１３をネジ止めするなどして施工しており、洗い場パン１２０の切断端と、ドア受け１１２との間は、コーキング剤１１４などで止水している。
【０００４】
しかしながら、このような構造によれば、コーキング剤１１４が古くなり、洗い場パン１２０の排水溝１１３から溢れた水が、洗い場パン１０２の切断端とドア受け１１２との間に生じた隙間から漏水すると、浴室の外部の床下などに漏水されてしまうという問題があった。
また、このような問題は、出入り口に開閉ドアを設ける場合も同様であり、例えば、下記特許文献では、出入り口を設けるべき洗い場パンの突壁を切断し、そこに、建具下枠を設けて、その上に漏水用シールリップを設けた開閉ドアを施工する例が示されているが、
このようなものでも、洗い場パンと建具下枠との間から水が入り込むと、床下に漏水してしまうことは避けられない。
【特許文献１】特開２００１−２４１１９８号公報
【発明の開示】
【発明が解決しようとする課題】
【０００５】
本発明は、上記従来の問題に鑑みてなされたものであって、シリコンやパッキン等のコーキング剤を使用せず、清掃作業が容易で、かつ簡易な構造にして床、壁下への漏水が防止できる浴室ユニットの床パン構造を提供することを目的としている。
【課題を解決するための手段】
【０００６】
本発明は、上記課題を解決するために提案されたものであって、請求項１に記載の発明は、浴槽パンに洗い場パンを付設した浴室ユニットの床パンにおいて、洗い場パンと浴槽パンとの外周には、支持突条を形成した落とし込み溝を周設し、その落とし込み溝の適所に、浴槽パンに連通する排水孔部を設けていることを特徴としている。
請求項２に記載の発明は、請求項１において、上記洗い場パンに設けた落とし込み溝には、外方に突出する外縁鍔を形成している。
請求項３に記載の発明は、請求項１、２のいずれかにおいて、上記落とし込み溝には、壁パネル、ドアが嵌め込まれたときに、上記支持突条とともに、それらの下端面を支持する支持凹所を形成している。
請求項４に記載の発明は、請求項１〜３のいずれかにおいて、上記落とし込み溝に、壁パネル、ドアが嵌め込まれたときに、これらの下端と、上記落とし込み溝の浴室内との間に乾式シール材を取り付けて水漏れを防止する構造にしている。
【発明の効果】
【０００７】
請求項１に記載の発明によれば、浴室を施工する際に、床パンを浴室を設置すべき場所に置いてから、落とし込み溝に、壁パネル、ドア、幅木などを嵌め込む。
そして、壁パネル、ドア、幅木などの下端と落とし込み溝との隙間部分に、乾式シール材を取り付けるだけで簡単にユニット浴室が施工できる。
また、ドアを施工する場合にも、洗い場パンの端部をカットする必要がないので施工が簡単である。
更に、コーキング剤などの湿式シール材を使用し、完全止水しなくてもよいので、耐久性に優れ、清掃も容易にできる。
加えて、床、ドア、壁パネルの隙間や継ぎ目などから水が浸入しても、外周に設けた落とし込み溝が排水溝となり、排水溝の排水孔部がドレインとなって浴槽パンに排出することができ、浴槽パンに排出された水は、浴槽パンに形成した排水口から排水管を通じて排水することができる。
【０００８】
請求項２に記載の発明によれば、ドア部を構成する場合に、外縁鍔を床材に固定させ、取り付けることができ、バイヤフリーにも対応できる。
【０００９】
請求項３に記載の発明によれば、落とし込み溝の中央に形成された支持突条と、支持凹条とでスライドドアの下端や、壁パネルの下端を支持できるので、スライドドア、壁パネルをぐらつくことなく確実に支持し、浴室の施工を容易にできる。
【００１０】
請求項４に記載の発明によれば、壁パネル、スライドドアと落とし込み溝との間に、乾式シール材を取り付けているので、水漏れを防止することができる。
また、湿式シール材を用いて完全止水する必要はなく、乾式シール材で止水できるため、清掃性にも優れ、交換も容易である。
【発明を実施するための最良の形態】
【００１１】
以下、本発明に係る浴室ユニットの床パン構造の実施の形態について、図を参照しつつ説明する。
図１は本発明が適用された浴室ユニットの床パンの要部を示す概略部分斜視図、図２は床パンの概略平面図である。
床パン１は、浴槽パン２と洗い場パン３とが隣合わせ一体に形成され、浴槽パン２と洗い場パン３には、排水口４、５がそれぞれ設けられている。
洗い場パン３は、その三方を排水溝１１で囲まれており、この排水溝１１は、排水口５に通じている。
浴槽パン２と洗い場パン３の外周には、支持突条８３を中央に形成した落とし込み溝８が周設されており、この落とし込み溝８に、壁パネル６（図４参照）、ドア７（図３参照）、必要に応じて幅木などを嵌め入れて、浴室を施工する。また、落とし込み溝８の外周には、外縁鍔１２が形成されている。
【００１２】
ここに、落とし込み溝８は、溝の内壁８１と外壁８２との間に形成された凹所に、支持突条８３を突設し、外壁８２の内面には、支持突条８３と同じ高さ位置となる支持凹所８４を形成している。
落とし込み溝８の浴槽パン２に近い部分には、排水孔部１０を形成し、浴槽パン２に通じる連通管１３を設けている。
【００１３】
図５は、ドアが取り付けられるＡ部分の拡大平面図、図６は排水孔部を設けているＢ部分の拡大平面図である。
図２に示した床パン１では、落とし込み溝８の外周には、浴槽パン２、洗い場パン３の全周に渡って外縁鍔１２を突出形成しているが、このような外縁鍔１２は、ドアの施工される可能性のある洗い場パン３の周囲にのみ形成してもよい。
【００１４】
図３は落とし込み溝８にドア７を嵌め込んだ状態を示す概略縦断面構造図である。
落とし込み溝８には、浴室の設計仕様に応じて、壁面とすべき箇所には壁パネル６、出入り口とすべき箇所には、ドア７などが嵌め込まれるが、これらが嵌め込まれたときには、支持突条８１とともに、前述した支持凹所８４によって、壁パネル６、ドア７の下端を支持するようになっている。
また、洗い場パン３の落とし込み溝８の内側には、前述した排水口５に通じる排水溝１１が形成され、ドア７の下端と、落とし込み溝８との間（浴室内側）には、ゴムやプラスチックで形成された乾式シール材９を取り付けて、水漏れを防いでいる。
【００１５】
図４は落とし込み溝に壁パネルを嵌め込んだ状態を示す概略縦断面構成図である。
落とし込み溝８に嵌め込まれた壁パネル６の下端と、落とし込み溝８との間（浴室内側）には、ゴムやプラスチックで形成された乾式シール材９を取り付けて、水漏れを防ぐとともに、落とし込み溝８の支持突条８３の切欠部には、排水孔部１０を設けており、この排水孔部１０は、エルボ管などの連通管１３によって浴槽パン２に通じている。
このような構造によれば、ドア７、壁パネル６の隙間や継ぎ目から水漏れを生じても、落とし込み溝８でこれを受け、その排水孔部１０が更にドレインとなって浴槽パン２に排出することができ、浴槽パン２に排出された水は、浴槽パン２に形成した排水口４から不図示の排水管を通じて下水管などに排水することができる。
なお、図例の連通管１３は、２段式エルボ管で構成されているが、可撓性チューブなどで構成してもよい。
また、連通管１３を設けることなく、落とし込み溝に浴槽パンと連通する排水孔部を設けてもよい。
【００１６】
本発明の床パンは、このような構造的特徴があるため、施工すべき出入り口の勝手に応じて洗い場パンの端部を切断する必要もなく、施工も容易である。
また、外縁鍔１２は、床材に取り付けることによってバリアフリーにも対応できる。
【図面の簡単な説明】
【００１７】
【図１】本発明が適用された浴室ユニットの床パンの要部を示す概略部分斜視図である。
【図２】本発明が適用された床パンの概略平面図である。
【図３】落とし込み溝にスライド式のドアを嵌め込んだ状態を示す概略縦断面構造図である。
【図４】排水孔口を設けた落とし込み溝に壁パネルを嵌め込んだ状態を示す概略縦断面構成図である。
【図５】図２のＡ部分の拡大平面図である。
【図６】図２のＢ部分の拡大平面図である。
【図７】従来の床パン構造を示す図である。
【図８】従来の床パンの洗い場パンにスライドドアを取り付けた状態を示す図である。
【符号の説明】
【００１８】
１          床パン
２          浴槽パン
３          洗い場パン
６          壁パネル
７          スライドドア
８          落とし込み溝
８３          支持突条
８４          支持凹所
９        乾式シール材
１０        排水孔部
１２        外縁鍔
１３      連通管
【図１】
2005273372.tif 000003
【図２】
2005273372.tif 000004
【図３】
2005273372.tif 000005
【図４】
2005273372.tif 000006
【図５】
2005273372.tif 000007
【図６】
2005273372.tif 000008
【図７】
2005273372.tif 000009
【図８】
2005273372.tif 000010